(57)【要約】      （修正有）【課題】金属ガス導管の損傷箇所から噴出するガスを遮断するに際して、速やかにガス遮断を行い、遮断後の復旧工事を簡易に行うことができる構成を提供する。【解決手段】金属ガス導管の表面に吸着するシート状磁石２と、シート状磁石２の吸着面に付着されている粘着部材３と、シート状磁石２の吸着面を覆うように剥離自在に貼り付けられている磁力抑止部材４とを備える噴出ガス応急遮断具１を用い、磁力抑止部材４を吸着面から剥離して、損傷箇所を粘着部材で覆うように、シート状磁石２を金属ガス導管の表面に吸着させる。【選択図】図１
2018146037.tif 000002
【特許請求の範囲】
【請求項１】
金属ガス導管の損傷箇所から噴出するガスを応急的に遮断する遮断具であって、
前記金属ガス導管の表面に吸着するシート状磁石と、
前記シート状磁石の吸着面に付着されている粘着部材と、
前記シート状磁石の吸着面を覆うように剥離自在に貼り付けられている磁力抑止部材とを備えることを特徴とする噴出ガス応急遮断具。
【請求項２】
前記磁力抑止部材は、独立して剥離可能なように前記吸着面の中央部で分離されていることを特徴とする請求項１記載の噴出ガス応急遮断具。
【請求項３】
金属ガス導管の損傷箇所から噴出するガスを応急的に遮断する遮断方法であって、
前記金属ガス導管の表面に吸着するシート状磁石と、前記シート状磁石の吸着面に付着されている粘着部材と、前記シート状磁石の吸着面を覆うように剥離自在に貼り付けられている磁力抑止部材とを備える噴出ガス応急遮断具を用い、
前記磁力抑止部材を吸着面から剥離して、前記損傷箇所を前記粘着部材で覆うように、前記シート状磁石を前記金属ガス導管の表面に吸着させることを特徴とする噴出ガスの応急遮断方法。
【発明の詳細な説明】
【技術分野】
【０００１】
本発明は、金属ガス導管（鋼管、鋳鉄管など）の損傷箇所から噴出するガスを応急的に遮断する遮断具とこれを用いた遮断方法に関するものである。
【背景技術】
【０００２】
地中等に敷設された金属ガス導管は、その周囲で行われる他工事で使用される建設機械（パワーシャベルやバックホーなど）の作業部に接触するなどして、損傷する事例が確認されている。ガス導管が損傷すると、損傷箇所からガスが噴出するので、速やかにガス噴出を遮断することが求められる。
【０００３】
このようなガス噴出を応急的に遮断する方法としては、ガス導管の損傷箇所周辺の土砂に、固化材と硬化材を混合した遮断材料を供給或いは充填して、周辺土砂ごと硬化させて損傷箇所を閉塞することが提案されている（下記特許文献１参照）。また、硬化時間が調整可能な注入硬化材を用い、ガス導管のガス噴出箇所周囲又はガス導管の内部に注入硬化材を注入・充填して、その後硬化させることでガス遮断を行うことも提案されている（下記特許文献２参照）。
【先行技術文献】
【特許文献】
【０００４】
【特許文献１】特開２００７−５７０６１号公報
【特許文献２】特開２０１１−２２０４３３号公報
【発明の概要】
【発明が解決しようとする課題】
【０００５】
前述した従来技術は、応急的に噴出ガスを遮断することは可能であるが、ガス導管の損傷箇所周囲が遮断材料で覆われた状態になったり、ガス導管の損傷箇所内部に硬化材が充填された状態になるので、その後の復旧工事で、固まった土砂の排除や、硬化材が充填されたガス導管の排除が大掛かりにならざるを得ず、復旧工事に大きな労力と時間を要する問題があった。
【０００６】
また、使用する遮断材料や硬化材は、作業時の緊急性を考慮して硬化時間の短いものを使用してはいるが、硬化にある程度の時間が掛かることは避けられない。このため、更に速効性が高く安全な応急的ガス遮断方法が求められている。
【０００７】
本発明は、このような事情に対処するために提案されたものである。すなわち、本発明は、金属ガス導管の損傷箇所から噴出するガスを遮断するに際して、速やかにガス遮断を行うこと、更には、遮断後の復旧工事を簡易に行うことができるようにすること、などを課題としている。
【課題を解決するための手段】
【０００８】
このような課題を解決するために、本発明は、以下の構成を具備するものである。
【０００９】
金属ガス導管の損傷箇所から噴出するガスを応急的に遮断する遮断具であって、前記金属ガス導管の表面に吸着するシート状磁石と、前記シート状磁石の吸着面に付着されている粘着部材と、前記シート状磁石の吸着面を覆うように剥離自在に貼り付けられている磁力抑止部材とを備えることを特徴とする噴出ガス応急遮断具。
【発明の効果】
【００１０】
このような特徴を有する本発明は、シート状磁石の吸着面に磁力抑止部材を貼り付けた状態で遮断具を取り扱うので、吸着面が金属ガス導管の損傷箇所以外の場所に吸着してしまう不具合を無くし、速やかに遮断具を損傷箇所上に位置決めすることができる。そして、その状態で、磁力抑止部材を吸着面から剥離して、損傷箇所を粘着部材で覆うように、シート状磁石を金属ガス導管の表面に吸着させるので、速やかに損傷箇所を閉塞してガス噴出を遮断することができる。
【００１１】
特に、遮断具の吸着面に磁力抑止部材を貼り付けていない場合には、遮断具を作業現場に仮置きした場合に、砂鉄等の金属製不純物が吸着面に磁気吸着する不具合が生じるが、吸着面に磁力抑止部材を貼り付けることで、このような不具合を解消して、円滑に作業を進めることができる。
【００１２】
この際、金属ガス導管の損傷箇所周辺の土壌を硬化させたり、ガス導管内に硬化材を充填することが無いので、ガス遮断後に速やかに且つ簡易に復旧工事を行うことができる。
【図面の簡単な説明】
【００１３】
【図１】本発明の実施形態に係る噴出ガス応急遮断具を示した説明図（（ａ）が底面図、（ｂ）が断面図）である。
【図２】本発明の実施形態に係る噴出ガス応急遮断具の使用方法（噴出ガスの応急遮断方法）を示した説明図（（ａ）は損傷箇所に遮断具を移動した状態、（ｂ）は損傷箇所上で磁力抑止部材を剥離している状態、（ｃ）は損傷箇所に遮断具を吸着させた状態）である。
【発明を実施するための形態】
【００１４】
以下、図面を参照して本発明の実施形態を説明する。以下の説明で、異なる図における同一符号は同一機能の部位を示しており、各図における重複説明は適宜省略する。
【００１５】
図１に示すように、噴出ガス応急遮断具（以下、遮断具）１は、金属ガス導管の損傷箇所から噴出するガスを応急的に遮断するために用いられ、シート状磁石２と、粘着部材３と、磁力抑止部材４とを備えている。
【００１６】
シート状磁石２は、金属ガス導管の表面に吸着するものであり、ネオジム磁石などの強力な磁気吸着力を有する永久磁石をシート状に形成したもの（シート状に成形した後に磁化したものを含む）であり、線状または粒状の磁石を可撓性の樹脂で結合するなどして形成することができる（所謂、マグネットシートを含む）。
【００１７】
粘着部材３は、金属ガス導管の損傷箇所に密着することで、損傷箇所を閉塞するためのものであり、ブチルゴムなど、従来からガス遮断部材として有効な部材を用いることができる。粘着部材３は、シート状磁石２の吸着面に付着されている。図示の例では、粘着部材３は、シート状磁石２の吸着面の中央部に付着している。吸着面上での粘着部材３の付着面積をどの程度にするかは適宜設計されるが、粘着部材３の付着面積に対して露出する吸着面の面積を大きくすることが好ましい。
【００１８】
磁力抑止部材４は、シート状磁石２の吸着面を覆うように剥離自在に貼り付けられている。磁力抑止部材４は、シート状磁石２の吸着面における磁気吸着力が金属面に及ぶのを抑止するものであり、シート状磁石２の吸着面が金属面に近接しないように、所定の厚さで吸着面を覆っている。このような磁力抑止部材４は、所定の厚さが維持できるものであればよく、不織布や布材を重ねたものなどを用いることができる。
【００１９】
また、磁力抑止部材４は、ニッケル合金やアルミなどの磁気シールド効果を有する金属箔で覆われた磁気シールドシートなどで用いることができる。磁気シールドシートは、磁力抑止効果を高めるために、必要に応じて複数枚重ねて使用することができる。
【００２０】
磁力抑止部材４は、シート状磁石２の吸着面に対して剥離自在に貼り付けられている。具体的には、剥離可能な両面テープなどを用いて、磁力抑止部材４を吸着面に貼り付けることができる。図示の例では、磁力抑止部材４は、中央で分離可能に貼り付けられており、それぞれが独立して剥離できるようになっている。このように磁力抑止部材４を分離可能にすることで、片側の磁力抑止部材４（４Ａ）を剥がして、シート状磁石２の吸着面の一部を金属ガス導管の表面に吸着させ、その後、もう片側の磁力抑止部材４（４Ｂ）を剥がして、シート状磁石２の吸着面全体を金属ガス導管の表面に吸着させることができ、シート状磁石２を必要な箇所に精度良く吸着させることができる。
【００２１】
図２は、遮断具１を用いた噴出ガスの応急遮断方法の作業工程を示している。図２（ａ）に示すように、金属ガス導管Ｐの損傷箇所Ｐｓに対して、遮断具１を対面させる。この際、遮断具１は、シート状磁石２の吸着面が、磁力抑止部材４で覆われているので、吸着面が不要の箇所に吸着してしまうことがなく、精度良く損傷箇所Ｐｓ上に遮断具１を配置させることができる。
【００２２】
次に、図２（ｂ）に示すように、遮断具１から磁力抑止材４を剥離し、遮断具１の粘着部材３で損傷箇所Ｐｓを覆う。その後は、図２（ｃ）に示すように、磁力抑止材４を全て遮断具１の吸着面から剥がして、シート状磁石２を金属ガス導管Ｐの表面に吸着させることで、粘着部材３で損傷箇所Ｐｓを閉塞し、ガスの噴出を遮断する。
【００２３】
このような遮断具１を用いた噴出ガスの応急遮断方法によると、シート状磁石２の吸着面に磁力抑止部材４を貼り付けた状態で遮断具１を取り扱うので、吸着面が金属ガス導管Ｐの損傷箇所Ｐｓ以外の場所に吸着してしまう不具合を無くし、また、吸着面に砂鉄などの金属不純物が付着してしまう不具合を解消して、速やかに遮断具１を損傷箇所Ｐｓ上に位置決めすることができる。そして、その状態で、磁力抑止部材４を吸着面から剥離して、損傷箇所Ｐｓを粘着部材３で覆うように、シート状磁石２を金属ガス導管Ｐの表面に吸着させるので、速やかに損傷箇所Ｐｓを閉塞してガス噴出を遮断することができる。
【符号の説明】
【００２４】
１：噴出ガス応急遮断具（遮断具），２：シート状磁石，３：粘着部材，
４：磁力抑止部材
【図１】
2018146037.tif 000003
【図２】
2018146037.tif 000004